【手続補正書】
【提出日】平成15年6月16日(2003.6.16)
【手続補正１】
【補正対象書類名】明細書
【補正対象項目名】発明の名称
【補正方法】変更
【補正の内容】
【発明の名称】制御装置
【手続補正２】
【補正対象書類名】明細書
【補正対象項目名】特許請求の範囲
【補正方法】変更
【補正の内容】
【特許請求の範囲】
【請求項１】
遊技域に設けられ、３個以上の図柄を配列させて表示可能な表示手段と、
始動検出スイッチの検出に基づいて前記表示手段に表示するための図柄を設定する設定手段と、
前記表示手段に様々な図柄を配列させ、次々と別の図柄に変更する変動表示を行なった後、各図柄を停止させ、前記設定手段によって設定された前記図柄を表示させる制御手段と、
前記表示手段に表示された図柄の配列が、予め設定された配列である場合に、遊技者に特典を付与する特典付与手段と、
を備えた制御装置において、
前記制御手段による前記変動表示が開始されるに先だって、所定の確率にて、該制御手段による該変動表示と略同様の事前変動表示及びその一旦停止を行う事前変動手段
を備えたことを特徴とする制御装置。
【請求項２】
請求項１に記載の制御装置において、
前記事前変動手段は、
一旦停止するときに事前変動させるか否かの判定基準となる予め設定された態様を出力する
ことを特徴とする制御装置。
【請求項３】
請求項１または請求項２に記載の制御装置において、
前記態様が複数あり、
前記事前変動手段が、
且つ、前記設定手段により設定された図柄の配列が、前記特定の配列であるか否かに応じて予め設定された確率にて、前記複数の態様の内のいずれかを出力するもの
であることを特徴とする制御装置。
【請求項４】
請求項３に記載の制御装置において、
前記事前変動手段が、
前記複数の態様として前記第１の態様、第２の態様を出力するものであって、且つ、前記設定手段により設定された図柄の配列が、前記特定の配列であるか否かに応じて予め設定された確率にて、前記第１の態様、若しくは前記第２の態様の内のいずれかを出力するもの
であることを特徴とする制御装置。
【請求項５】
請求項３に記載の制御装置において、
前記事前変動手段が、
前記複数の態様が、３種類，４種類，７種類のいずれかであって、
且つ、夫々の態様に応じて、前記設定手段により設定される図柄の配列が、前記特定の配列になる確率が割り振られている
ことを特徴とする制御装置。
【請求項６】
請求項３から請求項５の何れかに記載の制御装置において、
当該制御装置が、前記設定手段により設定される図柄の配列が前記特定の配列になる確率が、可変にされた確率変動タイプであって且つ、前記設定手段により設定される図柄の配列に基づいて、前記確率を上昇させるか低下させるかを決定するものであり、
前記確率が上昇されるか低下されるかに応じて予め設定された確率にて、前記複数の態様の内のいずれかを出力するもの
であることを特徴とする制御装置。
【請求項７】
請求項１から請求項６の何れかに記載の制御装置において、
前記事前変動手段が、
事前変動を何回行うかを決定し、該決定された回数だけ事前変動を行うものである
ことを特徴とする制御装置。
【手続補正３】
【補正対象書類名】明細書
【補正対象項目名】０００１
【補正方法】変更
【補正の内容】
【０００１】
【発明の属する技術分野】
本発明は、図柄を表示する装置を遊技域に備え、この装置に出力される図柄に応じて、遊技者に特典が付与される制御装置に関する。


【手続補正４】
【補正対象書類名】明細書
【補正対象項目名】０００６
【補正方法】変更
【補正の内容】
【０００６】
本発明はかかる課題に鑑みなされたもので、変動表示に対する期待感が初期の段階で失われない制御装置を提供することを目的としている。


【手続補正５】
【補正対象書類名】明細書
【補正対象項目名】０００７
【補正方法】変更
【補正の内容】
【０００７】
【課題を解決するための手段】
かかる目的を達成するためになされた本発明の請求項１に記載の制御装置は遊技域に設けられ、３個以上の図柄を配列させて表示可能な表示手段と、始動検出スイッチの検出に基づいて前記表示手段に表示するための図柄を設定する設定手段と、前記表示手段に様々な図柄を配列させ、次々と別の図柄に変更する変動表示を行なった後、各図柄を停止させ、前記設定手段によって設定された前記図柄を表示させる制御手段と、前記表示手段に表示された図柄の配列が、予め設定された配列である場合に、遊技者に特典を付与する特典付与手段と、
を備えた制御装置において、
前記制御手段による前記変動表示が開始されるに先だって、所定の確率にて、該制御手段による該変動表示と略同様の事前変動表示及びその一旦停止を行う事前変動手段
を備えたことを特徴とする。


【手続補正６】
【補正対象書類名】明細書
【補正対象項目名】０００８
【補正方法】変更
【補正の内容】
【０００８】
また請求項２に記載の本発明は、請求項１に記載の制御装置において、前記事前変動手段は、一旦停止するときに事前変動させるか否かの判定基準となる予め設定された態様を出力することを特徴とする。


【手続補正７】
【補正対象書類名】明細書
【補正対象項目名】０００９
【補正方法】変更
【補正の内容】
【０００９】
そして請求項３に記載の本発明は、請求項１または請求項２に記載の制御装置において、前記態様が複数あり、前記事前変動手段が、且つ、前記設定手段により設定された図柄の配列が、前記特定の配列であるか否かに応じて予め設定された確率にて、前記複数の態様の内のいずれかを出力するものであることを特徴とする。
【手続補正８】
【補正対象書類名】明細書
【補正対象項目名】００１０
【補正方法】変更
【補正の内容】
【００１０】
請求項４に記載の本発明は、請求項３に記載の制御装置において、
前記事前変動手段が、前記複数の態様として前記第１の態様、第２の態様を出力するものであって、且つ、前記設定手段により設定された図柄の配列が、前記特定の配列であるか否かに応じて予め設定された確率にて、前記第１の態様、若しくは前記第２の態様の内のいずれかを出力するものであることを特徴とする。請求項５に記載の本発明は、請求項３に記載の制御装置において、前記事前変動手段が、前記複数の態様が、３種類，４種類，７種類のいずれかであって、且つ、夫々の態様に応じて、前記設定手段により設定される図柄の配列が、前記特定の配列になる確率が割り振られていることを特徴とする。
請求項６に記載の本発明は、請求項３から請求項５の何れかに記載の制御装置において、当該制御装置が、前記設定手段により設定される図柄の配列が前記特定の配列になる確率が、可変にされた確率変動タイプであって且つ、前記設定手段により設定される図柄の配列に基づいて、前記確率を上昇させるか低下させるかを決定するものであり、前記確率が上昇されるか低下されるかに応じて予め設定された確率にて、前記複数の態様の内のいずれかを出力するものであることを特徴とする。
請求項７に記載の本発明は、請求項１から請求項６の何れかに記載の制御装置において、前記事前変動手段が、事前変動を何回行うかを決定し、該決定された回数だけ事前変動を行うものであることを特徴とする。
【手続補正９】
【補正対象書類名】明細書
【補正対象項目名】００１１
【補正方法】変更
【補正の内容】
【００１１】
【発明の実施の形態】
請求項１に記載の制御装置において、始動検出スイッチの検出に基づいて、設定手段が、表示手段に表示するための図柄を設定する。表示手段は、３個以上の図柄を表示可能にされている（以下、表示できる図柄を３個として説明をする）。こうして設定された図柄は、制御手段によって変動表示が行なわれた後、同じく制御手段によって停止される。


【手続補正１０】
【補正対象書類名】明細書
【補正対象項目名】００１４
【補正方法】変更
【補正の内容】
【００１４】
つまり、当該制御装置においては、始動入賞時に設定される図柄の配列応じて遊技者に特典が付与される。
そして更に、当該制御装置は事前変動手段を備えている。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
すなわち事前変動手段とは、制御手段が変動表示をするに先だって変動表示、及びその停止を行なうものである。但し、必ず行なうのではなく、所定の確率にて変動表示（以下、事前変動手段が行なうものについては事前変動ともいう）を行なう。
【手続補正１３】
【補正対象書類名】明細書
【補正対象項目名】００１８
【補正方法】変更
【補正の内容】
【００１８】
このように、事前変動手段による変動表示、及びその停止がされてから制御手段による従前からある変動表示及びその停止を遊技者から見ると、あたかも変動表示が一旦停止された後に再び変動表示が行なわれているように見える。よってもし初めの表示が特定の配列ではなくても、再び変動されるので、期待感を持続させることができる。そして事前変動表示手段が表示する図柄は、特典の付与には関係が無いため、規制の緩和を待たずとも実施できる。
請求項２に記載の本発明では、一旦停止するときに事前変動させるか否かの判定基準となる予め設定された態様を出力する。このような事前変動手段による変動表示、及びその停止がされてから制御手段による従前からある変動表示及びその停止を遊技者から見ると、あたかも予め設定された態様が出力された場合には再び変動表示が行なわれているように見える。よってもし初めの表示が特定の配列ではなくても、予め設定された態様が出力された場合には再び変動されるので、期待感を持続させることができる。
【手続補正１４】
【補正対象書類名】明細書
【補正対象項目名】００１９
【補正方法】変更
【補正の内容】
【００１９】
なお、事前変動手段が変動表示を行なう「所定の確率」は、１以下であって且つ０より大きい値にすると良い。但し１にすると毎回、必ず事前変動及び順次停止という過程を踏むことになり、不自然である。これに対し、「予め定められた態様の出力」を「第１の図柄の表示」とし、無作為に図柄を設定した場合に、第１の図柄が表示される確率に近い確率で、事前変動を行なうと、自然である。例えば、１６種類の図柄を左中右と３個ならべて表示できる表示手段を持ち、１６種類の図柄の内の一つが第１の図柄であるパチンコ機の制御装置の場合、左中右の内、特定の１ヶ所に第１の図柄が表示される確率は約６．３％、少なくとも一つ表示される確率は約１７．６％となる。従い中図柄に第１の図柄が表示されたら、再変動を起こしているように見せたければ、６．３％の確率で、事前変動を行ない、左中右の内、どこに第１の図柄が表示されても再変動されるように見せるならば１７．６％で事前変動を行なうようにすると良い。なお、制御手段による通常の図柄表示においても第１の図柄を表示させる（つまり設定手段が第１の図柄を設定することがあるパチンコ機）場合には、事前変動の後に第１の図柄が表示される確率と、制御手段によって第１の図柄が表示される確率を加えたものが前記の１７．６％等の確率になるようにしておくと、再変動を行なうパチンコ機と全く見分けが付かなくなり、更に良い。


【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】変更
【補正の内容】
【００２４】
請求項３に記載の制御装置では、予め定められた態様が複数あり、どちらの図柄を表示するかは、設定手段により設定された図柄の配列が、特定の配列であるか否かに応じて予め設定された確率に決定する。
請求項４に記載の制御装置では、事前変動手段が第１の態様と、第２の態様を出力する。どちらの態様を出力するかは、設定手段により設定された図柄の配列が、特定の配列であるか否かに応じて予め設定された確率に決定する。例えば、設定された配列が特定の配列である場合には、６０％の確率で第１の態様、４０％の確率で第２の態様を表示し、特定の配列ではない場合には、２０％の確率で第１の態様、８０％の確率で第２の態様を表示するようにする。


【手続補正２０】
【補正対象書類名】明細書
【補正対象項目名】００２５
【補正方法】変更
【補正の内容】
【００２５】
なお、請求項１に記載のように、変動表示を行なうか否かも所定の確率で定められているので、第１の態様が出力される場合、第２の態様が出力される場合、どちらも出力されない場合の、計３つの場合があることになる。これを遊技者から見ると、この３つの態様に応じて、続いて行なわれる再変動（どちらも出力されない場合は行なわれない）の結果を所定の信頼度で予告しているかのように見える。すなわち、特定の配列であるか否かに応じて前記のような確率が振り分けられているので、第１の態様が出力されたときには例えば５０％の確率で特定の配列が再変動後に表示され、第２の態様が出力されたときには１０％の確率で特定の配列が表示される、等と遊技者が判断することができる。なお、この効果が最大限に生かされるように、第１の態様と第２の態様とが出力される確率は前記例で夫々６０％、４０％等としたように、互いに異なるようにしておくとよい。これは特定の配列が表示されるときだが、そうでないときには、これも前記のように夫々２０％、８０％等と互いに変え、且つ前記の６０％、４０％の組み合せとも異なるようにするのが良い。さもないと第１の態様と第２の態様との何れが出力されても、特定の配列が表示される確率が同じになり、両態様間の差別化ができなくなる。


【手続補正２１】
【補正対象書類名】明細書
【補正対象項目名】００２６
【補正方法】変更
【補正の内容】
【００２６】
ところで、事前変動手段は、制御手段が変動表示を開始するに先だって自らの変動表示を行なうと記したが、これは、事前変動及びその停止を何度行なっても良いことを意味している。なぜなら、事前変動及びその停止を行なった後も「制御手段が変動表示を開始する前」だからである。従い、事前変動及び順次停止が終わった後に、再び事前変動及びその停止を行なってもよい。そして請求項７に記載の本発明のように事前変動を何回行うかを決定し、決定された回数だけ事前変動を行うようにしてもよい。予め設定された態様を、図柄「Ｘ」の表示とし、これらを２回行なうと、例えば次のようになる。


【手続補正２２】
【補正対象書類名】明細書
【補正対象項目名】００２８
【補正方法】変更
【補正の内容】
【００２８】
また「Ｘ」は、通常の表示を行なう図柄の中の一つとしても良いし、事前変動手段により、最後の図柄としてのみ表示される図柄としても良い。前者の場合には、例えば「Ｘ１Ａ」という配列が表示されたり、事前変動手段によって最後の図柄以外の図柄として「Ｘ」が選択され「Ｘ５Ｘ」等と表示されたりしても良い。また、特定の配列として「ＸＸＸ」が存在しても良い。


【手続補正２３】
【補正対象書類名】明細書
【補正対象項目名】００２９
【補正方法】変更
【補正の内容】
【００２９】
また、通常、前記のような様々な処理は、マイクロプロセッサが実行するプログラムにより実現される。そして制御手段と事前変動手段とは、変動表示やその停止が互いに略同様に行なわれることから、この部分に関しては、同一のプログラムを利用して行なっても良い。この場合には、最終的に、設定手段により設定された図柄を表示するのが制御処理、予め定められた態様を出力させて、その後に再び変動表示が開始されるのが事前変動手段となる。


【手続補正２４】
【補正対象書類名】明細書
【補正対象項目名】００３０
【補正方法】変更
【補正の内容】
【００３０】
また、請求項４の事前変動手段を更に発展させて、第３の態様や第４の態様も出力可能にしても良い。これらに対しても、夫々の態様に応じて特定の配列になる確率を割り振るとよい。例えば、第２の態様が出たときに当りになる確率を５０％にすると良いと記したが、第３の態様が出たら２５％、第４の態様が出たら５％というようにする。これは、各態様を当りに対する予報動作と見なし、その予報の信頼度を第１〜第４の態様に、この順序で割り振ったことに相当する。請求項５に記載のように予め定められた態様を３種類、７種類としても良い。
【手続補正２５】
【補正対象書類名】明細書
【補正対象項目名】００３１
【補正方法】変更
【補正の内容】
【００３１】
このように多くの図柄を最後の図柄として表示可能にすると、図柄に応じて付与される特典が複数ある制御装置（例えばパチンコ機の確率変動機）に適用した場合に便利である。この場合は、請求項６に記載の本発明のようにその図柄を識別可能に報知する。具体的には、第１の態様が出力された場合は、必ず確変図柄で当り、第２の態様が出力された場合は、５０％の確率で確変図柄、５０％の確率でその他の図柄で当り、第３の態様が出力された場合は、５０％の確率でその他の図柄で当り、５０％の確率で外れ、第４の態様が出力された場合は、２５％の確率でその他の図柄で当り、７５％の確率で外れるというようにしても良い。


【手続補正２６】
【補正対象書類名】明細書
【補正対象項目名】００３２
【補正方法】変更
【補正の内容】
【００３２】
また、第１の態様が例えば「Ｘ」で第２の態様が「Ｙ」というように全く異なっている必要はなく、その差が遊技者に判別できる程度、あれば良い。例えば、同じ「Ｘ」で色のみが異なったり、或は同じ犬の絵で、第１の態様はじっと座っている様子、第２の態様は走っている様子を動画で表しても良い。